(57)【特許請求の範囲】
【請求項１】
門柱に枢支された吊り元側扉の自由端部に先端側扉を丁番により枢着してなる折り戸式門扉において、
前記吊り元側扉と前記先端側扉の枢着部側縦框の先端部の横断面形状を先端が細い台形状に形成し、
横断面形状がほぼ変形Ｔ字形を呈し、Ｔ字の垂直辺に対応する位置に固着部を、Ｔ字の水平辺に対応する位置にチリ隠し部を有して、前記折り戸式門扉の前記枢着部側縦框と等しい長さを有するチリ隠し部材の前記固着部の上下の所定位置に嵌合部を形成し、その嵌合部に前記丁番の一方の葉を嵌合した状態でその葉をチリ隠し部材に固着し、
前記チリ隠し部材の固着部を前記先端側扉の枢着部側縦框の台形部に固着し、前記チリ隠し部材のチリ隠し部を前記先端側扉の枢着部側縦框の一方の広壁の面と共通の平面上に位置付けた、
ことを特徴とする折り戸門扉。
【請求項２】
請求項１に記載の折り戸式門扉において、
前記吊り元側扉と前記先端側扉の枢着部側縦框の先端に横断面形状が先端側に細い台形状の台形部を形成するとともに、前記台形部の先端に一対の屈曲縁により形成されたアリ溝を形成し、
チリ隠し部材の固着部の高さ方向の複数箇所に貫通したビスを、前記固着部の背面に配置したねじ受け部材にねじ込んで、そのねじ受け部材を前記固着部の背面から先端側扉の枢着部側縦框の一対の屈曲縁の厚みよりも僅かに大きな間隔を持って仮固定するとともに、
丁番の一方の葉の背面にその葉の上下方向に延出する裏板を固着し、前記固着部にその正面から貫通したビスを前記裏板の延出部にねじ込んで、その裏板を前記固着部の背面から先端側扉の枢着部側縦框の一対の屈曲縁の厚みよりも僅かに大きな間隔を持って仮固定し、
前記ねじ受け部材、丁番及び及び裏板を取付けた前記チリ隠し部材の固着部を先端側扉の枢着部側縦框の一対の屈曲縁に当接して案内させて、前記ねじ受け部材及び前記裏板を前記先端側扉の枢着部側縦框のアリ溝に順次挿入し、前記チリ隠し部材と前記枢着部側縦框の高さが一致した状態で、前記ねじ受け部材及び前記裏板の前記ビスを完全に締めて、前記チリ隠し部材の固着部と前記ねじ受け部材及び前記裏板との間に前記一対の屈曲縁を挟持して、前記チリ隠し部材及び前記丁番を前記先端側扉に取付けた、
ことを特徴とする折り戸式門扉。
【発明の詳細な説明】
【技術分野】
【０００１】
本発明は、門柱に枢支された吊り元側扉の自由端部に先端側扉を丁番により枢着してなる折り戸式門扉に関する。
【背景技術】
【０００２】
折り戸式門扉においては、互いに隣接する門扉を枢着する丁番を構成する二つの葉のそれぞれが二つの門扉の互いに隣接する縦框(枢着部側縦框)の端面にビスなどで固着され、かつ、枢着された二つの門扉を丁番のピン周りに回転して開閉させるため、葉に形成されているナックル及びそのナックルに挿通された前記ピンが、門扉の枢着部から敷地内側に突出された状態で取り付けられる。
【０００３】
そして、丁番の各葉が二つの枢着部側縦框の端面に当接して固着されるので、門扉が閉められたときは、隣接する縦框の間に丁番の２枚の葉の厚さの和に等しい隙間（チリ）が生じ、門扉の美観を損なうため、従来、そのチリを塞ぐチリ隠し部材が、先端側扉の枢着部側縦框に取り付けられている。そのチリ隠し部材は、横断面形状がＬ字形又はＴ字形で、縦框と等しい長さを有する。そして、Ｌ字又はＴ字の垂直辺に対応する固着部を先端側扉の縦框の端面に当てて固着し、Ｌ字又はＴ字の水平辺に対応するチリ隠し部を閉鎖状態にある門扉の隣接する二つの縦框の敷地外側面に跨って、チリを隠すように配置される。
【特許文献１】特になし
【発明の開示】
【発明が解決しようとする課題】
【０００４】
しかしながら、従来の門扉の縦框は、いずれも水平断面の輪郭形状がほぼ長方形に形成されていて、門扉閉鎖時において隣接する縦框の正面及び背面がそれぞれ共通の平面上に連続している。従って、必然的にチリ隠し部材のチリ隠し部が前記共通の平面から常時突出された状態にある。そのため、この突出するチリ隠し部と門扉の面との間に段差が生じ、閉鎖状態の門扉の敷地外側の美観を損なうという問題があった。また、チリ隠し部の縦框の角部からの突出量、すなわち、段差が大きいので、門扉を閉鎖する際に、チリ隠し部材が取り付けられていない吊元側扉の縦框とチリ隠し部との間に、門扉を閉鎖する人や幼児などが誤って手指を挟み込む虞があった。
【０００５】
さらに、従来は、丁番とチリ隠し部材は、いずれも共通の縦框の端面に取り付けられるので、取付位置の取り合いの問題があり、取付けが困難であった。
【０００６】
本発明は、上記の事情に鑑みてなされたものであり、解決しようとする課題は、チリ隠し部材の取付構造を改良して、門扉の敷地外側面とチリ隠し部材との間に段差を生じさせず、門扉の美観が向上する折り戸式門扉を提供することにある。
【課題を解決するための手段】
【０００７】
上記課題を解決するため、本発明は、門柱に枢支された吊り元側扉の自由端部に先端側扉を丁番により枢着してなる折り戸式門扉において、前記吊り元側扉と前記先端側扉の枢着部側縦框の先端部の横断面形状を先端が細い台形状に形成し、横断面形状がほぼ変形Ｔ字形を呈し、Ｔ字の垂直辺に対応する位置に固着部を、Ｔ字の水平辺に対応する位置にチリ隠し部を有して、前記折り戸式門扉の前記枢着部側縦框と等しい長さを有するチリ隠し部材の前記固着部の上下の所定位置に嵌合部を形成し、その嵌合部に前記丁番の一方の葉を嵌合した状態でその葉をチリ隠し部材に固着し、前記チリ隠し部材の固着部を前記先端側扉の枢着部側縦框の台形部に固着し、前記チリ隠し部材のチリ隠し部を前記先端側扉の枢着部側縦框の一方の広壁の面と共通の平面上に位置付けたことを特徴としている。
【０００８】
本発明の好ましい例では、前記吊り元側扉と前記先端側扉の枢着部側縦框の先端に横断面形状が先端側に細い台形状の台形部を形成するとともに、前記台形部の先端に一対の屈曲縁により形成されたアリ溝を形成し、チリ隠し部材の固着部の高さ方向の複数箇所に貫通したビスを、前記固着部の背面に配置したねじ受け部材にねじ込んで、そのねじ受け部材を前記固着部の背面から先端側扉の枢着部側縦框の一対の屈曲縁の厚みよりも僅かに大きな間隔を持って仮固定するとともに、丁番の一方の葉の背面にその葉の上下方向に延出する裏板を固着し、前記固着部にその正面から貫通したビスを前記裏板の延出部にねじ込んで、その裏板を前記固着部の背面から先端側扉の枢着部側縦框の一対の屈曲縁の厚みよりも僅かに大きな間隔を持って仮固定し、前記ねじ受け部材、丁番及び及び裏板を取付けた前記チリ隠し部材の固着部を先端側扉の枢着部側縦框の一対の屈曲縁に当接して案内させて、前記ねじ受け部材及び前記裏板を前記先端側扉の枢着部側縦框のアリ溝に順次挿入し、前記チリ隠し部材と前記枢着部側縦框の高さが一致した状態で、前記ねじ受け部材及び前記裏板の前記ビスを完全に締めて、前記チリ隠し部材の固着部と前記ねじ受け部材及び前記裏板との間に前記一対の屈曲縁を挟持して、前記チリ隠し部材及び前記丁番を前記先端側扉に取付けたことを特徴としている。
【発明の効果】
【０００９】
請求項１の発明によれば、折り戸式門扉の枢着部側縦框が先端に細い台形状に形成され、チリ隠し部材のチリ隠し部が枢着部側縦框の一つの面と共通の面上に存在するため、チリ隠し部材が門扉の面から突出せず、目立つ段差が生じない。従って、門扉の外観が向上する。また、チリ隠し部材が門扉の面から突出しないので、負傷の原因となることがない。
【００１０】
請求項２の発明によれば、チリ隠し部材にねじ受け部材、丁番及び裏板を予め装着して仮固定し、チリ隠し部材を枢着部側縦框の先端面に案内させ、所定位置においてビスをしっかり締めることにより、チリ隠し部材及び丁番の門扉の所定位置への取付を能率的に行うことががきる。
【発明を実施するための最良の形態】
【００１１】
次に、本発明の実施の形態について、図面を参照しながら説明する。
図１は門扉の敷地側から見た正面図、図２は図１の門扉の開閉パターンの二つの例を示す平面図、図３は図１の一部省略Ａ−Ａ拡大断面図、図４は図３の円Ｂ部分の拡大図、図５は図３の円Ｃ部分の拡大図、図６はチリ隠し部材を示す図であって、（ａ）は正面側を上にした平面図、（ｂ）は背面図である。図７はチリ隠し部材にねじ受け部材、裏板及び丁番を取り付けた状態を示す図であって、（ａ）は正面側を下にした平面図、(ｂ)は正面図である。
【００１２】
図１において、左側の門柱Ｐ１に一つの掛け扉Ｄ１が、門柱Ｐ１に取り付けた肘壺１ａと掛け扉Ｄ１の吊り元側縦框に取り付けた肘金具１ｂと、肘壺１ａ又は肘金具１ｂの一方に固定され、他方に挿入されるピン(図示せず)からなる丁番１Ａにより、そのピンを中心に回転して開閉自在に取り付けられ、右側の門柱Ｐ２に吊り元側扉Ｄ２が丁番１Ａと同様の丁番１Ｂにより開閉自在に取付けられ、その吊り元側扉Ｄ２の自由端部に先端側扉Ｄ３が、後述される図４に示されている丁番２によりその丁番のピンを中心に回転して開閉自在に接続されている。すなわち、吊り元側扉Ｄ２とその扉の自由端部に枢着された受け扉Ｄ３とで折り戸式門扉が構成されている。
【００１３】
吊り元側扉Ｄ２と先端側扉Ｄ３は、それぞれに取り付けられている既知の落とし錠３ａ，３ｂにより、通常は図１に示されている閉鎖位置に保持され、掛け扉Ｄ１が人の通用のために開閉される。そして、門を車両が通行する場合は、掛け扉Ｄ１が開放されるほか、吊り元側扉Ｄ２と先端側扉Ｄ３も落とし錠３ａ，３ｂを解錠して開放される。
【００１４】
各扉Ｄ１；Ｄ２，Ｄ３の開閉パターンは、図２(ａ)に示すように扉を敷地側に回転する態様と、同図(ｂ)に示すように扉を道路側に回転する態様とがある。
【００１５】
図３において、４ａ〜４ｆは、図４に示し、後述するように、いずれも同一の断面形状を有する縦框であり、各扉Ｄ１，Ｄ２，Ｄ３の左右に配置される縦框４ａ，４ｂ；４ｃ，４ｄ；４ｅ，４ｆは、左右対称形となるように配置されている。
【００１６】
縦框の形状を代表的に図３の先端側扉Ｄ３の戸先側縦框４ｅについて、図４を用いて説明する。縦框４ｅは、先端側扉Ｄ３の正面側(敷地側)と背面側(道路側)に存在する広壁４１，４２と、先端側扉Ｄ３の左右方向の扉中央側及び扉先端側に存在する狭壁４３，４４とを有して、先端部を除くほかの部分は、横断面輪郭形状が長方形を呈しているが、先端部に、横断面輪郭形状が先端側に細い台形状に形成された台形部４５を有している。その台形部４５の底部を形成する狭壁４４の両端に一対の屈曲縁４７が形成され、その屈曲縁によって先端側扉Ｄ３の端面に開口するアリ溝４６が形成されている。そして、変形Ｔ字形の、縦框４ｅと等しい長さを有する戸当たり部材５が、そのＴ字の垂直辺に対応する位置に設けてある固着部５１をアリ溝４６に嵌合し、狭壁４４にビスｂ１により固着してある。戸当たり部材５のＴ字の水平辺に対応する位置に形成してある戸当たり部５２は、縦框４ｅの背面側広壁４２と共通の平面上に位置付けされている。戸当たり部５２の先端の敷地内側面にクッション材５３が設けてある。
【００１７】
図３及び図４におけるＨ１，Ｈ２は、掛け扉Ｄ１及び先端側扉Ｄ３の縦框４ｂ，４ｅに取り付けられたハンドルである。図３のＢＢは戸当たりバンパー、ＣＣは隙間カバーである。
【００１８】
掛け扉Ｄ１の戸先側縦框４ｂにも、図４に示すように、前記戸当たり部材５と同様の戸当たり部材５’が、敷地内外方向に反転対称形に、同様にして取り付けられている。戸当たり部材５’には、戸当たり部材５と同一の構成部材に同一の符号を付してある。
【００１９】
内外の戸当たり部材５、５’が、その戸当たり部５２をそれぞれ縦框４ｅ，４ｂの正面側及び背面側の広壁４１，４２と共通の平面上に存在させることにより、後述される本発明の要部におけるチリ隠し部材６とともに、門扉の外観の向上の一端を担っている。
【００２０】
本発明の改良の対象は、上記折り戸式門扉Ｄ２，Ｄ３の枢着部、すなわち、図３の円Ｃで囲んだ部分のチリ隠し部材６と丁番２の取付構造である。
図５に示すように、折り戸式門扉を構成する吊り元側扉Ｄ２の枢着部側縦框４ｃと先端側扉Ｄ３の枢着部側縦框４ｆの狭壁４４を含む先端部の断面形状は、図４に示された縦框４ｅの先端部の断面形状と同一の台形状である。従って、図４の部材と対応する部材には同一の符号を付してある。そして、先端側扉Ｄ３の枢着部側縦框４ｆの台形部４５には、その縦框４ｆと等しい長さのチリ隠し部材６がそのチリ隠し部材に貫通したビスｂ２をアリ溝４６に保持されているねじ受け部材７にねじ込むことにより取り付けられている。また、先端側扉Ｄ３の枢着部側縦框４ｆの台形部４５には、縦框４ｆの高さ方向に隔てた２カ所において丁番２の一方の葉２１が固着されている。以下に、さらに詳述する。
【００２１】
チリ隠し部材６は、上記戸当たり部材５と類似の水平断面形状を有している。すなわち、変形Ｔ字形に形成されていて、Ｔ字の垂直辺に対応する位置に固着部６１を、Ｔ字の水平辺に対応する位置にチリ隠し部６２を有している。そして、固着部６１を台形部４５の狭壁４４よりも先端側に形成されて、アリ溝４６を形成する一対の屈曲縁４７の先端面に当接して縦框４ｆに固着されている。チリ隠し部６２は、折り戸式門扉が閉鎖状態にある時に近接する枢着部側縦框４ｃ，４ｆの台形部４５の背面に跨って存在して、隣接する縦框４ｃ，４ｆの間に生じる隙間(チリ)を隠蔽する。また、チリ隠し部６２は、縦框４ｆの背面側の広壁４２と共通の平面上に位置づけされている。チリ隠し部６２の先端側の敷地側の面にはクッション材６３が設けられている。
【００２２】
丁番２は、先に述べた丁番１Ａ，１Ｂと異なり、図７（ｂ）に示すように、二つの葉２１，２２の端部に形成してあるナックル２１ａ，２２ａにピン２３を挿通して構成されているものであり、その一つの葉２１，２２は、扉Ｄ２，Ｄ３の枢着部において互いに隣接する縦框４ｃ，４ｆの台形部４５の一対の屈曲縁４７の先端面に当接した状態で固着されている。
【００２３】
上記のように、先端側扉Ｄ３の枢着部側縦框４ｆの先端面に、チリ隠し部材６の固着部６１と丁番２の一方の葉２１とを固着する場合は、隣接する縦框４ｃ，４ｆの端面の間に生じるチリをできるだけ薄くすることが望まれる。また、チリ隠し部材６と丁番２の縦框４ｆに対する取付が容易、かつ、迅速にできることが望まれる。
【００２４】
本発明においては、上記要望に応えるため、チリ隠し部材６の形状と、チリ隠し部材６及び丁番２の縦框４ｆに対する取付構造とに、次のような工夫が施されている。すなわち、チリ隠し部材６の固着部６１の背面には、図６に示すように、補強のためのリブ６４，６５が設けてある。図６(ｂ)は、チリ隠し部材６の上端側の一部のみを示す。中央側の２本のリブ６４の高さは比較的高く、その外側のリブ６５の高さは低い。チリ隠し部材の高さ方向の複数の位置において、リブ６４を等しい長さだけ切除して、矩形の平面６６を形成し、その平面の中央にビス貫通用孔６７を設けてある。この平面６６は、後述されるねじ受け部材９を嵌合するためのものである。また、チリ隠し部材６の固着部６１をチリ隠し部材の高さ方向の２カ所において、図６(ｂ)に示すように、丁番２の一つの葉２１と同一形状に切除して、嵌合部６８を形成してある。その嵌合部６８から上下方向に連なるリブ６４を等しい長さに渡って切除して、矩形の平面６９が形成してある。この平面６９の中央にもビス貫通用孔６７を設けてある。
【００２５】
上記の構造を有するチリ隠し部材６と丁番２を縦框４ｆに取付けるには、図７(ｂ)に示すように、ねじ受け部材９と裏板１０とを用意する。ねじ受け部材９は、平面６６と同一形状を有する。裏板１０は、嵌合部６８とその嵌合部の上下両側に存在する平面６９を結合した形状に等しい形状を有する。平面６６にはねじ受け部材９を嵌合し、チリ隠し部材６の固着部６１の正面側からビス貫通用孔６７に貫通したビスｂ２をねじ受け部材９にねじ込んで、そのねじ受け部材９を固着部６１の背面から僅かに離した状態に仮固定する。また、丁番２の一つの葉２１の背面側には裏板１０を葉２１から上下両側に延出する状態に位置合わせし、葉２１に設けてあるビス貫通用孔から貫通したビスｂ３を裏板１０にねじ込んで、予め裏板１０と丁番２が結合してある。その裏板１０の上下端部を固着部６１の背面の平面６９に嵌合し、固着部６１の正面側からビス貫通用孔に貫通したビスｂ４をその裏板１０にねじ込んで、その裏板１０を固着部６１の背面から僅かに離した状態に仮固定する。
【００２６】
上記のように、複数個のねじ受け部材９と上下２個の丁番２を仮固定したチリ隠し部材６の固着部６１の下端部を縦框４ｆの台形部４５の先端面、すなわち、アリ溝４６の開口を形成している屈曲縁４７の先端面に当接し、その先端面に案内させて下方に移動して、最初のねじ受け部材９をアリ溝４６に挿入させ、続いて、チリ隠し部材の固着部６１を台形部４５の先端面に案内させたまま下方に移動し、下側の丁番２の裏板１０をアリ溝４６に挿入する。以下、同様にして、他のねじ受け部材及び上側の丁番の裏板をアリ溝４６に挿入する。そして、チリ隠し部材６の全長が縦框４ｆの全長と一致したとき、各ビスｂ３、ｂ４をしっかり締めて、固着部６１とねじ受け部材９及び裏板１０との間に縦框４ｆの一対の屈曲縁４７を強固に挟持させることにより、チリ隠し部材６と上下の丁番２を先端側扉Ｄ３に取付ける。
【００２７】
そして、縦框４ｆに一方の葉２１が固着された丁番２の他の葉２２に、図５に示すように、ビスｂ５によりその葉２２の背面側に仮固定されたねじ受け１０’を、縦框４ｃのアリ溝４６に挿入し、所定位置においてビスｂ５をしっかり締めることにより、葉２２を縦框４ｃに固着する。
【００２８】
以上には、図１の左の門柱に一つの扉、右の門柱に折り戸式門扉の合計３枚の扉が取付けられた例について説明したが、本発明は、左右の門柱にそれぞれ折り戸式門扉が取付けられた４枚扉、その他の折り戸式門扉にも適用可能である。
【図面の簡単な説明】
【００２９】
【図１】門扉の敷地側から見た正面図。
【図２】図１の門扉の開放方向の二つの例を示す平面図。
【図３】図１のＡ−Ａ拡大断面図。
【図４】図３の円Ｂ部分の拡大図。
【図５】図３の円Ｃ部分の拡大図。
【図６】チリ隠し部材を示す図であって、（ａ）は正面側を上にした平面図、（ｂ）は背面図。
【図７】チリ隠し部材にねじ受け部材、裏板及び丁番を取り付けた状態を示す図であって、（ａ）は正面側を下にした平面図、(ｂ)は正面図。
【符号の説明】
【００３０】
Ｐ１，Ｐ２        門柱
Ｄ１，Ｄ２，Ｄ３  扉
Ｄ２，Ｄ３        折り戸式門扉
Ｄ２              吊り元側扉
Ｄ３              先端側扉
４ａ〜４ｆ        縦框
４５              台形部  
４６              アリ溝
５、５’          戸当たり部材
６                チリ隠し部材
６１              固着部
６２              チリ隠し部
２                丁番
２１、２２        葉
２１ａ，２２ａ    ナックル
２３              ピン
９                ねじ受け部材
１０，１０´      裏板
【図１】
0005137073.tif 000002
【図２】
0005137073.tif 000003
【図３】
0005137073.tif 000004
【図４】
0005137073.tif 000005
【図５】
0005137073.tif 000006
【図６】
0005137073.tif 000007
【図７】
0005137073.tif 000008